(57)【要約】【課題】一種のローパスフィルタを形成する光学的平滑化処理を実行し、画像処理全体のスループット向上することができるスキャナの画像読取機構を提供することを目的とする。【解決手段】原稿６１は、スキャナ押さえローラ２１によって押さえられ、矢印６２の方向にイメージセンサ２４で読取られながら、矢印６２に向かって搬送される。シャッタ板１１は、透明な板部材であり、厚みｄを有する。この厚みｄによって、イメージセンサ２４の焦点位置がわずかに原稿からずれる。このように、イメージセンサ２４の焦点位置を原稿からずらすことによって、原稿は、ぼかされて、イメージセンサ２４によって読み取られる。このぼかしによる光学的平滑化処理を実行し、粒状ノイズは、シャープネス処理を施しても、強調されることはなく、２値化処理後の粒状ノイズの残存を減少させ、同時に、画像処理時間の短縮を図る。【選択図】      図３
2004166058.tif 000002
【特許請求の範囲】
【請求項１】
光学的平滑化処理を行うスキャナの画像読取機構であって、原稿の画像データを読み込むイメージセンサと、
前記イメージセンサを前記スキャナの筐体に固定するために、前記イメージセンサを保持するホルダ部材と、
透光性を有する所定の厚みのシャッタ部材を前記イメージセンサと前記原稿との間に挿入し、又は退避させるシャッタ機構と、
前記原稿を前記シャッタ部材を介して、又は直接、前記イメージセンサに押圧しつつ搬送するスキャナ押えローラと、
を備えたことを特徴とするスキャナの画像読取機構。
【請求項２】
前記シャッタ機構は、前記シャッタ部材を支持するシャッタ支持部材と、前記シャッタ支持部材を回動させる回動軸と、前記回動軸に固定された駆動歯車と、該駆動歯車を駆動するモータとを備えることを特徴とする請求項１に記載のスキャナの画像読取機構。
【請求項３】
光学的平滑化処理を行うスキャナの画像読取機構であって、原稿の画像情報を読み込むイメージセンサと、
前記イメージセンサを前記スキャナの筐体に固定するために、前記イメージセンサを保持するホルダ部材と、
前記原稿を、前記イメージセンサの読取り面より僅かに上流又は下流側の位置に押圧するスキャナ押えローラとを備え、
前記イメージセンサは、該イメージセンサの読取位置が前記スキャナ押さえローラの前記原稿の押さえ位置から所定の距離だけずれるように設定され、前記原稿は、前記イメージセンサの読取位置より僅かに外側に離れた所定の位置で読み取られるように設定されていることを特徴とするスキャナの画像読取機構。
【請求項４】
光学的平滑化処理を行うスキャナの画像読取機構であって、原稿の画像データを読み込むイメージセンサと、
前記イメージセンサを前記原稿の搬送路面から僅かに窪んだ位置に段差を持って保持するホルダ部材と、
前記原稿を収納して搬送する所定の剛性を有し、透光性を有する原稿ホルダと、前記原稿ホルダを前記ホルダ部材方向に押圧するスキャナ押えローラと、
を備えることを特徴とするスキャナ装置。
【請求項５】
被読取媒体に印刷されている画像情報をイメージセンサにより取得する画像読取方法であって、
（ａ）前記被読取媒体の前記画像情報を、前記イメージセンサの焦点を僅かにずらした状態で取得する工程と、
（ｂ）前記取得した画像情報に基づき画像処理する工程と、
を備えることを特徴とする画像読取方法。
【請求項６】
前記工程（ａ）は、前記被読取媒体とイメージセンサの間に所定の厚みの透光性を有する間隙部材を挿入することにより、前記イメージセンサにより前記画像情報を取得することを特徴とする請求項５に記載の画像読取方法。
【請求項７】
前記工程（ａ）は、前記原稿を所定の剛性の透明性を有する原稿ホルダに収納して搬送することにより前記イメージセンサにより前記画像情報を取得することを特徴とする請求項５に記載の画像読取方法。
【発明の詳細な説明】
【０００１】
【発明の属する技術分野】
本発明は、スキャナの画像読取機構に関する。特に、原稿とイメージセンサの間に隙間を設け、光学的平滑処理を行うスキャナの画像読取機構、スキャナ装置及び画像読取方法に関する。
【０００２】
【従来の技術】
従来、小切手等の画像をスキャナで読み取った後、その読み取った画像から背景領域の不必要な情報を除去するために、ソフトウェアによるシャープネス処理を行ない、画像強調する。このシャープネス画像データは、原画像と同様に、グレイレベルで表現される。従って、一定の閾値を設けて、さらに、不必要な背景レベルを削減し、画像データ量の削減を図るため２値化処理を行う。しかし、粒状ノイズは、高域の周波数成分を有するために、シャープネス処理を行うと、却って、上記ノイズが強調され２値化処理の結果、粒状ノイズが残存し、画像データ量が増加してしまう恐れがある。
【０００３】
そこで、シャープネス処理の前処理として、粒状ノイズの高域の周波数成分を減少させることにより、粒状ノイズの輝度レベルを下げる効果を有する平滑化処理を実行した後、シャープネス処理を実行している。図８に、従来のソフトウェアによる画像処理フローを示す。イメージセンサから画像データを取り込み（ステップＳ１００）、ステップＳ１０４まで実行し、画像データを出力する。ここで、ステップＳ１０１の平滑化処理を付加することにより、粒状ノイズの輝度レベルを下げ、輝度レベルの変化率を小さくすることで、２値化処理（ステップＳ１０３）による粒状ノイズの残存を減少させ、画像データ量の増加を防ぐことが行われている（例えば、特許文献１を参照）。
【０００４】
【特許文献１】特開２００１−１２６０５５
【０００５】
【発明が解決しようとする課題】
しかし、ソフトウェアによる平滑化処理は、アルゴリズムの変更に対応できるなど、種々の利点がある一方、ＣＰＵ等のハードウェアの処理能力に制限がある場合には、画像処理におけるスループットの低下等の弊害をもたらす恐れもある。
【０００６】
そこで、本発明は、上記のような問題点に鑑みてなされたものであり、ソフトによる平滑化処理に代わり、画像入力時に、光学的平滑化処理を実行することで画像処理全体のスループットの向上を図ることができるスキャナの画像読取機構、スキャナ装置及び画像読取方法を提供することを目的とする。
【０００７】
【課題を解決するための手段】
本発明に一態様に係るスキャナ読取機構は、光学的平滑化処理を行うスキャナの画像読取機構であって、原稿の画像データを読み込むイメージセンサと、イメージセンサをスキャナの筐体に固定するために、イメージセンサを保持するホルダ部材と、透光性を有する所定の厚みのシャッタ部材をイメージセンサと原稿との間に挿入し、又は退避させるシャッタ機構と、原稿をシャッタ部材を介して又は直接前記イメージセンサに押圧しつつ搬送するスキャナ押えローラと、を備えたことを特徴とする。
【０００８】
本態様では、イメージセンサを保持するホルダ部材と、イメージセンサと原稿との間に厚みを有するシャッタ板を挿入することで、イメージセンサの焦点位置をずらし、小切手等の原稿をぼかして読み取ることにより、光学的な平滑化処理を行うことが可能である。これにより、画像処理のスループットを向上することができる。
【０００９】
本発明に他の態様に係るスキャナ読取機構は、前記シャッタ機構は、前記シャッタ部材を先端に取り付けたシャッタ支持部材と、前記シャッタ支持部材を回動させる回動軸と、前記回動軸に固定された駆動歯車と、該駆動歯車を駆動するモータと、を備えたシャッタ機構であることを特徴とする
本態様では、小切手等の原稿をぼかして読み取ることと、焦点を合わせて、読み取ることを可能とする。これにより、平滑化フィルタとフィルタなしの処理を適時、実行することが可能である。
【００１０】
本発明に他の態様に係るスキャナ読取機構は、光学的平滑化処理を行うスキャナの画像読取機構であって、原稿の画像情報を読み込むイメージセンサと、イメージセンサをスキャナの筐体に固定するために、イメージセンサを保持するホルダ部材とを備え、前記イメージセンサは、そのイメージセンサの読取位置が前記スキャナ押さえローラの前記原稿の押さえ位置から所定の距離だけずれるように設定され、前記原稿は、前記イメージセンサの読取位置より僅かに外側に離れた所定の位置で読み取られるように設定されていることを特徴とする。
【００１１】
本発明に一態様に係るスキャナ装置は、光学的平滑化処理を行うスキャナの画像読取機構であって、原稿の画像データを読み込むイメージセンサと、イメージセンサを原稿の搬送路面から僅かに窪んだ位置に段差を持って保持するホルダ部材と、原稿を収納して搬送する所定の剛性を有し、透光性を有する原稿ホルダと、原稿ホルダをホルダ部材方向に押圧するスキャナ押えローラとを備えることを特徴とする。
【００１２】
本発明に一態様に係る画像読取方法は、被読取媒体に印刷されている画像情報をイメージセンサにより取得する画像読取方法であって、（ａ）被読取媒体の画像情報を、イメージセンサの焦点を僅かにずらした状態で取得する工程と、（ｂ）取得した画像情報に基づき画像処理する工程とを備えることを特徴とする。
【００１３】
本発明に他の態様に係る画像読取方法は、工程（ａ）が、被読取媒体とイメージセンサの間に所定の厚みの透光性を有する間隙部材を挿入することにより、イメージセンサにより前記画像情報を取得することを特徴とする。
【００１４】
本発明に他の態様に係る画像読取方法は、工程（ａ）が、原稿を所定の剛性の透明性を有する原稿ホルダに収納して搬送することによりイメージセンサにより画像情報を取得することを特徴とする。
【００１５】
【発明の実施の形態】
本発明を、図面を参照しながら説明する。図１は、本発明の一実施形態に係るスキャナの画像読取機構の斜視図である。
【００１６】
スキャナの画像読取機構１は、シャッタ支持部材１０、シャッタ板１１、スキャナヘッド２０、スキャナ押えローラ２１を備えており、シャッタ支持部材１０は、支持軸１２により筐体２３に軸支されている。支持軸１２には、駆動歯車２２が取り付けられており、モータ２６（図２に図示）により駆動される。
【００１７】
また、スキャナ押えローラ２１のスキャナ押えローラ軸２９（以下、ローラ軸という）は、スライド穴２８に支持されており、スキャナヘッド２０に対して前後に移動することができる。ローラ軸２９は、シャッタ板１１の開閉状態に応じて、スキャナヘッド２０に対して前後に移動する。
【００１８】
図２は、図１に示したスキャナの画像読取機構とプリンタとを組み合わせた複合装置の用紙搬送経路を示す図である。
【００１９】
図２を使用して、スキャナの画像読取機構１の動作を詳細に説明する。スキャナヘッド２０は、イメージセンサ２４とこれを保持するホルダ部材２５で構成される。シャッタ支持部材１０の先端にシャッタ板１１が取り付けられている。駆動歯車２２が回転することによって、シャッタ支持部材１０の全体が回転して、シャッタ板１１は、イメージセンサ２４に対して開閉する。図２では、シャッタ板１１が、イメージセンサ２４に対して閉じた状態を示している。イメージセンサ２４としては、例えば、ＣＩＳ（Ｃｏｎｔａｃｔ  Ｉｍａｇｅ  Ｓｅｎｓｏｒ）を使用することができる。
【００２０】
シャッタ板１１は、その厚みによりイメージセンサ２４の焦点を僅かにずらす役割を果たす透明な板である。小切手等は、このシャッタ板１１を挟んだ状態でイメージセンサにより読み取られる。
【００２１】
一方、プリンタ５０は、紙挿入口５１、紙搬送ローラ５２ａ、紙検出器５３、フォームストッパ５４、フォームストッパ駆動部５５、裏面印字ヘッド５６、裏面印字用プラテン５７、紙搬送ローラ５２ｂ、表面印字用プラテン５９及び表面印字ヘッド６０を備えている。
【００２２】
小切手等の原稿（以下、原稿という）は、紙挿入口５１から挿入され、紙搬送ローラ５２ａによって搬送され、裏面印字ヘッド５６で裏面に印字される。裏面印字された原稿は、紙搬送ローラ５２ｂによって、さらに搬送された後、表面印字ヘッド６０により、表面に印字される。表面印字された後、原稿は、プリンタ５０から離れて、スキャナの画像読取機構１に供給される。シャッタ板１１が開いた状態の場合には、供給された原稿は、イメージセンサ２４の表面上を通過し、一方、シャッタ板１１が閉じた状態の場合には、供給された原稿は、シャッタ板１１の表面上を通過する。
【００２３】
シャッタ板１１が閉じた状態での読取では、スキャナ押えローラ２１とイメージセンサ２４の間に原稿を挿入することができるように、スキャナ押えローラ２１のローラ軸２９は、スライド穴２８の所定の位置より、スキャナセンサ２４に対して後方に移動する。原稿がスキャナセンサ２４の読取位置まで搬送されると、ローラ軸２９は、シャッタ板１１の方向に移動し、原稿をシャッタ板１１に押し付ける。その後、原稿は、イメージセンサ２４によって、読み取られながらスキャナ押えローラ２１により搬送され、原稿排出口３０に送られる。
【００２４】
一方、シャッタ板１１を開くときには、スキャナ押えローラ２１のローラ軸２９は、スキャナセンサ２４に対して後方に移動し、シャッタ板１１の移動を可能にする。その後、駆動歯車２２が回転することによって、シャッタ支持部材１０は、シャッタ板１１が開く方向（図５に示すＡ方向と逆方向）に回転し、スキャナセンサ２４に対してシャッタ板１１が開き、原稿が、スキャナセンサ２４の表面上を通過することができる。なお、シャッタ板駆動モータ２６は、モータドライバ２７からの指令を受けて、駆動歯車２２を駆動する。
【００２５】
図３は、原稿６１、シャッタ板１１及びイメージセンサ２４の位置関係を示す図である。図３（ａ）は、原稿とイメージセンサとの間にシャッタ板１１が挿入されている場合（シャッタ板が閉じた状態）を示す図である。図３（ｂ）は、原稿とイメージセンサとの間にシャッタ板が挿入されていない場合を示す図である。
【００２６】
図３（ａ）において、原稿６１は、スキャナ押えローラ２１によって、シャッタ板１１に押さえつけられて、イメージセンサ２４により読取られながら、矢印６２の方向に搬送される。シャッタ板１１は、透明な板部材であり、厚みｄを有する。一方、イメージセンサ２４の焦点位置は、イメージセンサ２４の表面位置にある。従って、この厚みｄによって、イメージセンサ２４の焦点位置は、原稿６１面から僅かにずれる。一例として、この厚みｄは、約０．５ｍｍである。
【００２７】
このように、イメージセンサ２４の焦点を僅かにずらすことによって、原稿６１は、ぼかされて、イメージセンサ２４により読み取られる。このぼかしは、ソフトウェアの平滑化処理の効果と同様な効果をもたらし、高域の周波数成分を有する粒状ノイズの周波数成分から高域成分を減少させることができる。即ち、粒状ノイズの輝度の急峻な傾きを滑らかにする。輝度の傾きが滑らかになった粒状ノイズに、シャープネス処理を施しても、強調されることはなく、２値化処理した後、この粒状ノイズの残存を減少させることができる。
【００２８】
図４を用いて、この場合の処理手順を説明する。
【００２９】
図４は、本発明の実施形態を利用した画像処理フローを示す。上述のようにシャッタ板１１を介して画像データを読み取ると、イメージの焦点が僅かにぼけるため、原稿を読取ながら光学的に平滑処理を実行することができる（ステップＳ２００）。そのためソフトウェアによる平滑化処理を実行する時間を削除でき画像の入力から画像出力までの処理全体のスループットの向上を図ることが可能である。なお、ステップＳ２０１から画像出力（Ｓ２０３）までの処理フローは、従来の画像処理フローと同様である。
【００３０】
シャッタ板１１の板部材は、透明な部材としているが、例えば、特定な波長帯域のみの光を通すような部材であってもよく、特定な色情報を使用して、後段のシャープネス処理を行うことで、背景領域の画像と必要な画像情報の分離を容易にすることも可能である。
【００３１】
なお、イメージセンサ２４の読み取り位置は、スキャナ押えローラ２１が原稿６１を押さえている位置、即ち、スキャナ読取位置Ｐである。
【００３２】
最終の画像出力として、処理画像ではなく、原画像そのものを記憶しておく必要がある場合がある。例えば、原稿との照合をする場合等のケースがあげらる。このように、原稿の原画像を取得したい要求があった場合、即ち、シャープネス処理、２値化処理を実行せずに原画像のみを取得したい場合には、図３（ｂ）に示すように、シャッタ板１１を開いた状態で原稿６１の読み取りを行う。
【００３３】
シャッタ板１１を開いた状態では、スキャナ押えローラ２１とイメージセンサ２４の間の厚みｄによる間隙が存在しない。従って、光学的な平滑化処理が行われず、原画像（グレースケール・データ）を取り込むことができる。従って、スキャナ押えローラ２１のローラ軸２９は、シャッタ板１１がイメージセンサ２４に対して開いた状態にある場合には、シャッタ板１１の厚みｄの分だけ、さらにスキャナセンサ２４に対して前方に移動し、原稿の押さえ位置を変える必要がある。スキャナ押えローラ２１のローラ軸２９の動作については、下記の図５を使用して説明する。
【００３４】
図５は、スキャナの画像読取機構部のシャッター支持部材の駆動による原稿の読取手順を示す図である。
【００３５】
図５（ａ）から（ｃ）までの図は、シャッター支持部材１０を駆動して、シャッタ板１１がイメージセンサ２４の表面を閉じた後、光学的平滑化処理を実行しながら原稿６１の読取を行う手順を示す。
【００３６】
図５（ａ）は、原稿６１の読取の初期状態を示す（ステップＳ１）。シャッター支持部材１０の先端に取り付けられているシャッタ板１１は、イメージセンサ２４の表面から一定の角度を向いており、イメージセンサ２４の表面が、開放している。また、原稿６１は、まだ挿入されていない状態を示す。ここで、スキャナ押えローラ２１のローラ軸２９は、スライド穴２８の所定の位置よりスキャナセンサ２４に対して後方に移動しており、原稿６１をシャッタ板１１に押し付ける位置から離れている。
【００３７】
図５（ｂ）は、原稿６１の読取の次ステップを示す（ステップＳ２）。ステップＳ１の状態から、シャッタ板駆動モータ２６により、駆動歯車２２が回転し、シャッター支持部材１０は、図６（ａ）に示すＡ方向に回転する。その後、シャッタ板１１が、イメージセンサ２４に対して閉じた位置で止まる。この状態で、原稿６１がイメージセンサ２４の読取位置Ｃ１に挿入される。しかし、スキャナ押えローラ２１のローラ軸２９は、まだ、スライド穴２８の所定の位置よりスキャナセンサ２４に対して前方に移動しており、原稿６１は、スキャナ押えローラ２１によりシャッタ板１１に押し付けられていない。
【００３８】
図５（ｃ）は、原稿６１の読取のステップＳ３を示す。ステップＳ２の状態から、スキャナ押えローラ２１のローラ軸２９を、ローラ軸２９を支持しているスライド穴２８の所定の位置より図５（ｂ）に示すＢ方向即ちスキャナセンサ２４に対して前方に移動させる。これにより、原稿６１は、スキャナ押えローラ２１によりシャッタ板１１に押し付けられる。このような状態で、スキャナ押えローラ２１が、Ｃ方向に回転しつつ、原稿６１は、イメージセンサ２４により読み込まれながら、搬送される。
【００３９】
次に、図５（ｄ）は、光学的平滑化処理を行わずに、原稿６１を読み込む場合を示す。シャッター支持部材１０の位置は、図５（ａ）と同様に、イメージセンサ２４の表面から一定の角度を向いて保持され、シャッタ板１１は、イメージセンサ２４に対して開いている。このような状態から、スキャナ押えローラ２１のローラ軸２９を、シャッタ板１１の厚さｄ分だけ、スライド穴２８の図５（ｃ）に示す位置よりスキャナセンサ２４に対して、さらに前方に移動させる。これにより、原稿６１は、イメージセンサ２４に押し付けられる。このような状態において、スキャナ押えローラ２１のＣ方向に回転することによって、原稿６１は、イメージセンサ２４により読み込まれながら、搬送される。
【００４０】
次に本発明の他の実施形態を説明する。シャッタ板１１を用いた読み取りと同様の効果は後述する原稿ホルダを用いても得ることができる。図６を用いて説明する。
【００４１】
図６（ａ）は、原稿ホルダとホルダ部材の位置関係を示す図である。また、図６（ｂ）は、原稿ホルダの拡大図である。
【００４２】
イメージセンサ２４を保持するホルダ部材２５は、矢印６２に示す搬送方向の上流と下流側の両側又はどちらか一方に、イメージセンサ２４の読取面に対して、僅かに段差ｄ１を設けたものである。この段差の上端部に図６（ｂ）に示す原稿ホルダ６３を載せて、スキャナ押えローラ２１により、搬送しながら、原稿６１を読取みとる。この原稿ホルダ６３は、透明なフィルム部材で構成されており、スキャナ押えローラ２１の押圧により弛むことが無い程度の硬さを有したものである。また、原稿６１は、図６（ｂ）に示すように、この原稿ホルダ６３内に挟まれた状態で読取みとられる。
【００４３】
なお、この原稿ホルダ６３の部材は、一般的には透明な部材であるが、シャッタ板１１と同様に、例えば、特定な波長帯域のみの光を通すような部材であってもよく、特定な色情報を使用して、後段のシャープネス処理を行うことで、背景領域の画像と必要な画像情報の分離を容易にすることも可能である。
【００４４】
このホルダ部材２５の段差ｄ１があることにより、原稿６１とイメージセンサ２４の間に隙間ができ、原稿６１は、イメージセンサ２４の焦点位置から僅かながらずれて読み取られる。このように、図３に示したシャッタ板１１の厚みｄにより原稿６１が、イメージセンサ２４の焦点位置から僅かながらずれて読み取られる場合と同様に、原稿６１は、ぼかされて、イメージセンサ２４により読み取られ、光学的平滑処理を実行することができる。
【００４５】
なお、段差ｄ１は、図３（ａ）に示したシャッタ板１１の厚みｄと同様、一例として、約０．５ｍｍである。
【００４６】
図７は、スキャナ押えローラの押さえ位置からイメージセンサが原稿を読取る位置をずらした場合を示す図である。
【００４７】
イメージセンサ２４を保持するホルダ部材２５は、矢印６２に示す搬送方向の上流及び下流の両側に段差ｄ１を有している。このとき、スキャナ押えローラ２１の押さえ所定の位置Ｃ１に対して、イメージセンサ２４の読取位置Ｃ２を距離ｄ２だけずらす。原稿６１は、スキャナ押えローラ２１によりイメージセンサ２４の面のＣ１の位置で押さえられるが、原稿ホルダ６３の段差ｄ１の存在のため、イメージセンサ２４の読取位置Ｃ２の位置では、原稿６１は、一定の距離ｄ３だけイメージセンサ２４から浮き上がる。このため、原稿６１は、イメージセンサ２４の焦点位置から距離ｄ３だけずれて読み取られる。
【００４８】
これにより、僅かに、ぼかした画質で原稿６１を読み込むことができる。即ち、図３に示したシャッタ板１１の厚みによる効果と同様に光学的平滑化フィルタの効果をもたらすことができる。
【００４９】
この場合、距離ｄ３により、ぼかしの程度が大きく、シャープネス処理を行っても文字判読性を損なうことがあってはならない。
【００５０】
なお、上記に説明した実施形態は説明のためのものであり、本発明の範囲を制限するものではない。従って、当業者であればこれらの各要素もしくは全要素をこれと均等なものによって置換した実施形態を採用することが可能であるが、これらの実施形態も本発明の範囲に含まれる。
【００５１】
【発明の効果】
以上説明したように、本発明によれば、イメージセンサと読み取り原稿との距離を機械的に離隔し、イメージセンサの焦点位置を原稿から僅かにずらすことによって、一種の光学的ローパスフィルタを形成し、粒状ノイズの輝度レベルを下げることで２値化処理後における粒状ノイズの残存を減少させ、画像データ量の増加を防ぐことができる。これにより、画像入力と同時に実行することができるため、画像処理全体のスループットの向上を図ることができる。
【００５２】
さらに、シャープネス処理、２値化処理を実行せずに原稿の原画像を取得する要求があった場合、シャッタ支持部材の先端に取り付けられているシャッタ板をイメージセンサに対して開いた状態で、イメージセンサにより原稿を読み取とることによって、原稿の原画像データを取得することができる。
【図面の簡単な説明】
【図１】本発明に一実施形態に係るスキャナの画像読取機構部の斜視図である。
【図２】図１に示したスキャナの画像読取機構とプリンタとを組み合わせた複合装置の用紙搬送経路を示す図である。
【図３】（ａ）は、原稿、シャッタ板及びイメージセンサの位置関係を示す図であり、（ｂ）は、原稿とイメージセンサとの間にシャッタ板が挿入されていない場合を示す図である。
【図４】本発明の実施形態を利用した画像処理フローを示す。
【図５】スキャナの画像読取機構部のシャッター支持部材の駆動による原稿の読取手順を示す図である。
【図６】（ａ）は、原稿ホルダとホルダ部材の位置関係を示す図であり、（ｂ）は、原稿ホルダの拡大図である。
【図７】スキャナ押えローラの押さえ所定の位置からイメージセンサの読取位置をずらした場合を示す図である。
【図８】従来のソフトウェアによる画像処理フローを示す。
【符号の説明】
１  スキャナの画像読取機構部、        １０  シャッター支持部材、
１１  シャッタ板、                      １２  支持軸、
２０  スキャナヘッド、                  ２１  スキャナ押えローラ、
２２  駆動歯車、                        ２３  筐体、
２４  イメージセンサ、                  ２５  ホルダ部材、
２６  シャッタ板駆動モータ、            ２７  モータドライバ、
２８  スライド穴、                      ２９  スキャナ押えローラ軸、
３０  原稿排出口、                      ５０  プリンタ、
５１  紙挿入口、                        ５２ａ、５２ｂ  紙搬送ローラ
５３  紙検出器、                        ５４  フォームストッパ、
５５  フォームストッパ駆動部、          ５６  裏面印字ヘッド、
５７  裏面印字用プラテン、              ５９  表面印字用プラテン、
６０  表面印字ヘッド、                  ６１  原稿、
６３  原稿ホルダ
【図１】
2004166058.tif 000003
【図２】
2004166058.tif 000004
【図３】
2004166058.tif 000005
【図４】
2004166058.tif 000006
【図５】
2004166058.tif 000007
【図６】
2004166058.tif 000008
【図７】
2004166058.tif 000009
【図８】
2004166058.tif 000010